(57)【要約】【課題】  大掛かりな照明器を備えた陳列棚が不要であると共に、照明対象となる物品毎に異なる照明方法をスポット照明器等に頼ることなく容易に採用することができ、しかも照明対象となる物品同士が近接配置されていても照明光の混合が生ずることがない。【解決手段】  下部ケースの側、および／または、上部ケースの側には、下部ケースに対して上部ケースをヒンジ結合部を介して開いた展示状態において、保持具により所定の展示姿勢で保持された物品を照らすように指向させてＬＥＤランプが装着されており、それにより、物品包装用ケースと物品展示用ケースとに共用可能とされると共に、物品展示用ケースとして使用される場合には、展示姿勢で保持される物品は、ケースに装着されたＬＥＤランプで照らされる。【選択図】  図５
2009022655.tif 000002
【特許請求の範囲】
【請求項１】
上面が開口され、かつ収容対象となる物品を所定の展示姿勢で保持するための保持具が内蔵された下部ケースと、下部ケースの上面開口を覆うカバーとして機能する上部ケースとを有すると共に、上部ケースは、下部ケースに対して開閉可能にヒンジ結合され、または下部ケースに対して取り外し可能に嵌合され、さらに
下部ケースの側、および／または、上部ケースの側には、下部ケースに対して上部ケースをヒンジ結合部を介して開いた展示状態において、または下部ケースから上部ケースを嵌合部を介して取り外した展示状態において、保持具により所定の展示姿勢で保持された物品を照らすように指向させてＬＥＤランプが装着されており、
それにより、物品包装用ケースと物品展示用ケースとに共用可能とされると共に、物品展示用ケースとして使用される場合には、展示姿勢で保持される物品は、ケースに装着されたＬＥＤランプで照らされる、ことを特徴とする物品個別収容ケース。
【請求項２】
保冶具が、時計バンド付の腕時計を所定の展示姿勢で保持するためのものである、ことを特徴とする請求項１に記載の物品個別収容ケース。
【請求項３】
保冶具が、宝石付の装身具を所定の展示姿勢で保持するためのものである、ことを特徴とする請求項１に記載の物品個別収容ケース。
【請求項４】
ＬＥＤランプが交換可能に装着されている、ことを特徴とする請求項１に記載の物品個別収容ケース。
【請求項５】
ＬＥＤランプから発せられる光には紫外線が含まれている、ことを特徴とする請求項１に記載の物品個別収容ケース。
【請求項６】
ＬＥＤランプに対してケース外部の電源から給電するためのＤＣ電源ソケットを有する、ことを特徴とする請求項１に記載の物品個別収容ケース。
【請求項７】
ＬＥＤランプに対する電源として機能する電池をケース内部に収容する、ことを特徴とする請求項１に記載の物品個別収容ケース。
【請求項８】
下部ケースに対して上部ケースをヒンジ結合部を介して開いた展示状態、または下部ケースから上部ケースを嵌合部を介して取り外した展示状態に限り、ＬＥＤランプが点灯可能となるように、或いは、暗くなったときに限りＬＥＤランプが点灯可能となるように、ＬＥＤランプに点灯条件を付与するための光電センサを有する、ことを特徴とする請求項７に記載の物品個別収容ケース。
【請求項９】
保冶具が、時計バンド付の腕時計を所定の展示姿勢で保持するためのものであり、かつ
ＬＥＤランプの点灯動作モードとしては、
人間の目には連続点灯状態に見える程度の高速で点滅する第１の動作モードと、
人間の目には断続点灯状態に見える程度の低速で点滅する第２の動作モードと、が設けられると共に、
それらの動作モードは所定のスイッチの操作で選択可能とされている、ことを特徴とする請求項８に記載の物品個別収容ケース。
【発明の詳細な説明】
【技術分野】
【０００１】
この発明は、例えば、腕時計ケースや宝石付き指輪ケース等のように、物品包装用ケースと物品展示用ケースとに共用可能な物品個別収容ケースに関する。
【背景技術】
【０００２】
従来より、腕時計ケースや宝石付き指輪ケース等のように、物品包装用ケースと物品展示用ケースとに共用可能な物品個別収容ケースが知られている。この種のケースは、通常、上面が開口され、かつ収容対象となる物品を所定の展示姿勢で保持するための保持具が内蔵された下部ケースと、下部ケースの上面開口を覆うカバーとして機能する上部ケースとから構成されており、上部ケースは、下部ケースに対して開閉可能にヒンジ結合されている。
【０００３】
そして、下部ケースに対して上部ケースをヒンジ結合部を介して最大限まで開いた状態とすることにより展示用ケースとして機能すると共に、下部ケースに対して上部ケースを閉じた状態とすることにより包装用ケースとして機能することとなる。収容対象となる物品としては、時計バンド付きの腕時計、宝石付きの装身具（例えば、指輪等）を挙げることができる（特許文献１参照）。
【０００４】
ところで、時計バンド付きの腕時計、宝石付きの装身具等の物品を販売のために展示する場合に、それらをどのように照明するかは、顧客の購買意欲の増進との関係において極めて重要な要素となる。
【０００５】
通常の文字盤を有する腕時計の場合であっても、照明光の色や強さによっては、顧客に与える印象は著しく相違する。例えば、青色の照明光を使用すれば、その時計に対して爽やかな印象を与えることができ、橙色の照明光を使用すれば、その時計に対して暖かな印象を与えることができる。
【０００６】
また、蓄光塗料やトリチウム自発光素子が時刻目盛りや指針に組み込まれた夜光性文字盤を有する腕時計の場合には、照明光として紫外線を含んだ照明光を採用して発光強度を増すことにより、周囲が比較的に明るい展示環境下にあっても、夜間発光時と同様な外観を出現させることができる。
【０００７】
また、蛍光反応を示す一部のコランダム、スピネル、琥珀、閃亜鉛鉱、柱石等の一部が装飾要素として使用された装身具（例えば、指輪、ネックレス、イヤリング、ブレスレット等々）にあっても、照明光として紫外線を含んだ照明光を採用して蛍光反応を惹起することにより、神秘的な外観を出現させることができる。
【０００８】
従来、この種の腕時計や装身具等の物品に関する展示販売において特殊効果を狙った照明方法としては、それらの物品を電球や蛍光灯が組み込まれた大掛かりな照明器を有する陳列棚に多数並べて陳列棚単位で一括照明するものや、スポット照明器を有する陳列棚に並べて１個又は数個ずつまとめて局部的に照明するものが一般的である。
【０００９】
他方、ソーラー電池駆動式腕時計の展示販売は、店舗天井に据え付けの蛍光灯照明からの照明光を頼りとして発電しつつ行われるのが通例であるから、天井照明が長期にわたり消灯状態とされることは好ましいことではない。
【特許文献１】特開平０７−０００２１８号公報
【発明の開示】
【発明が解決しようとする課題】
【００１０】
しかしながら、上述の従来照明方法にあっては、照明対象となる物品が少数であったとしても、大掛かりな照明器を備えた陳列棚が必要であること、照明対象となる物品毎に異なる照明方法を採用することが困難であること、近接して複数の物品が存在するときには照明光同士の混合により、個々の物品毎に異なる照明方法を採用することが困難であること等々の問題点が指摘されていた。
【００１１】
他方、ソーラー電池駆動式腕時計の展示販売においては、年末年始の休暇等により当該店舗の天井照明が長期に亘り消灯状態とされると、その間にソーラー電池の放電が進み、休み明け後にソーラー電池駆動式腕時計が作動不能に陥る虞があった。
【００１２】
この発明は、このような従来の問題点に着目してなされたものであり、その目的とするところは、大掛かりな照明器を備えた陳列棚が不要であると共に、照明対象となる物品毎に異なる照明方法をスポット照明器等に頼ることなく容易に採用することができ、しかも照明対象となる物品同士が近接配置されていても照明光の混合が生ずることがないようにした物品個別収容ケースを提供することにある。
【００１３】
また、この発明の他の目的とするところは、ソーラー電池駆動式腕時計の展示販売においては、年末年始の休暇等により当該店舗の天井照明が長期に亘り消灯状態とされたとしても、その間にソーラー電池の放電が進み、休み明け後にソーラー電池駆動式腕時計が作動不能に陥ることがないようにした物品個別収容ケースを提供することにある。
【００１４】
この発明のさらに他の目的並びに作用効果については、明細書の以下の記述を参照することにより、当業者であれば容易に理解されるであろう。
【課題を解決するための手段】
【００１５】
上述の技術的な課題は、以下の構成を有する物品個別収容ケースの採用により解決することができる。
【００１６】
すなわち、この物品個別収容ケースは、上面が開口され、かつ収容対象となる物品を所定の展示姿勢で保持するための保持具が内蔵された下部ケースと、下部ケースの上面開口を覆うカバーとして機能する上部ケースとを有する。この上部ケースは、下部ケースに対して開閉可能にヒンジ結合され、または下部ケースに対して取り外し可能に嵌合されている。
【００１７】
さらに、下部ケースの側、および／または、上部ケースの側には、下部ケースに対して上部ケースをヒンジ結合部を介して開いた展示状態において、または下部ケースから上部ケースを嵌合部を介して取り外した展示状態において、保持具により所定の展示姿勢で保持された物品を照らすように指向させてＬＥＤランプが装着されており、それにより、物品包装用ケースと物品展示用ケースとに共用可能とされると共に、物品展示用ケースとして使用される場合には、展示姿勢で保持される物品は、ケースに装着されたＬＥＤランプで照らされる。
【００１８】
このような構成によれば、物品展示用ケースとして使用される場合、下部ケース内で保冶具により所定の展示姿勢に保持される物品は、そのケースに装着されるＬＥＤランプにより照らされるため、別途大掛かりな照明器付の陳列棚を用意したり、あるいはスポット照明器を用意せずとも、個々の物品を予め用意した色並びに強度を有する光で照らすことができる。また、このとき、ＬＥＤからの光には、蛍光灯や電球からの光とは異なり、ある程度の角度範囲をもった指向性があるため、ケース同士を近接させた場合にも、ケース同士で照射光が互いに混合されることがないため、多数のケースを陳列する場合にも、個々の物品を最適な色及び強度を有する光で照らすことができる。
【００１９】
一方、一旦販売されて顧客の手に渡ったのちにあっては、上部ケースを例えばヒンジ部を介して閉じれば、そのまま包装用ケースとして持ち運びに供することができると共に、各顧客の室内においては、再び上部ケースを開いて展示用ケースの状態とすることで、室内ディスプレイとしても活用することができる。
【００２０】
また、ソーラー電池駆動式腕時計に適用すれば、年末年始の休暇等により当該店舗の天井照明が長期に亘り消灯状態とされたとしても、その間にソーラー電池の放電が進み、休み明け後にソーラー電池駆動式腕時計が作動不能に陥ることがなくなる一方、販売されて顧客の手に渡ったのちにあっても、各顧客の室内におけるソーラー電池の充電器としても活用することができる。
【００２１】
このとき、保冶具が、時計バンド付の腕時計を所定の展示姿勢で保持するためのものであれば、各販売店における腕時計の展示販売に好適なものとなる。また、保持具が、宝石付の装身具を所定の展示姿勢で保持するためのものであれば、各販売店における宝石付の装身具（例えば、指輪、ネックレス、イヤリング、ブレスレット等々）の展示販売に好適なものとなる。
【００２２】
また、このとき、ＬＥＤランプが交換可能に装着されていれば、様々な色や強度の光を発するＬＥＤランプの中から最適なものを選択して装着することにより、同一種の物品を複数並べて展示販売するような場合に、各ケース毎に異なる照明態様を採用したり、同一のケースであっても、展示される物品に応じて異なる照明態様を採用することが可能となる。
【００２３】
また、このとき、ＬＥＤランプから発せられる光に紫外線が含まれていれば、蓄光塗料やトリチウム自発光素子が時刻目盛りや指針に組み込まれた夜光性文字盤を有する腕時計の場合には、照明光として紫外線を含んだ照明光を採用して発光強度を増すことにより、周囲が比較的に明るい展示環境下にあっても、夜間発光時と同様な外観を出現させることができるほか、蛍光反応を示す一部のコランダム、スピネル、琥珀、閃亜鉛鉱、柱石等の一部が装飾要素として使用された装身具（例えば、指輪、ネックレス、イヤリング、ブレスレット等々）にあっても、照明光として紫外線を含んだ照明光を採用して蛍光反応を惹起することにより、神秘的な外観を出現させることができる。
【００２４】
また、ＬＥＤランプに対してケース外部の電源から給電するためのＤＣ電源ソケットを有するものであれば、電源として商用電源を利用することができるため、店舗における長期使用にも十分に耐えることができる。
【００２５】
また、ＬＥＤランプに対する電源として機能する電池をケース内部に収容するものであれば、商用電源の存在しない場所へも自由に持ち運ぶことができる。
【００２６】
加えて、下部ケースに対して上部ケースをヒンジ結合部を介して開いた展示状態、または下部ケースから上部ケースを嵌合部を介して取り外した展示状態に限り、ＬＥＤランプが点灯可能となるように、或いは暗くなったときに限りＬＥＤランプが点灯可能となるように、ＬＥＤランプに点灯条件を付与するための光電センサを有するようにすれば、ＬＥＤランプの無駄な点灯をなくして、電池寿命を延ばすことができる。
【００２７】
さらに、保冶具が、腕輪付の腕時計を所定の展示姿勢で保持するためのものであり、かつＬＥＤランプの点灯動作モードとしては、人間の目には連続点灯状態に見える程度の高速で点滅する第１の動作モードと、人間の目には断続点灯状態に見える程度の低速で点滅する第２の動作モードと、が設けられると共に、それらの動作モードは所定のスイッチの操作で選択可能とされていれば、ソーラー電池駆動式の腕時計に適用した場合、ディスプレイ用の点滅状態とソーラー電池充電用の連続省電力点灯状態とを適宜に選択して電池寿命を延ばすことができる。
【発明の効果】
【００２８】
この発明によれば、大掛かりな照明器を備えた陳列棚が不要であると共に、照明対象となる物品毎に異なる照明方法をスポット照明器等に頼ることなく容易に採用することができ、しかも照明対象となる物品同士が近接配置されていても照明光の混合が生ずることがないようにした物品個別収容ケースを提供することができる。
【００２９】
また、この発明によれば、ソーラー電池駆動式腕時計の展示販売においては、年末年始の休暇等により当該店舗の天井照明が長期に亘り消灯状態とされたとしても、その間にソーラー電池の放電が進み、休み明け後にソーラー電池駆動式腕時計が作動不能に陥ることがないようにした物品個別収容ケースを提供することができる。
【発明を実施するための最良の形態】
【００３０】
以下に、この発明に係る物品個別収容ケースの好適な実施の一形態を添付図面を参照しながら詳細に説明する。
【００３１】
本発明に係る物品個別収容ケース（この例では、腕時計用ケースまたは宝石付指輪用ケースとして実現されている）の第１実施形態の構成が図１〜図６に示されている。
【００３２】
図１〜図３、及び図５に示されるように、この腕時計用ケースとして構成された物品個別収容ケース１は、下部ケース２と上部ケース３とから構成されている。下部ケース２は、上面が開口された矩形形状を有するものであり、具体的には、左側面板２ａ、右側面板２ｂ、前面板２ｃ、背面板２ｄ、及び底板２ｅを有している。一方、上部ケース３は、下面が開口された矩形形状を有するものであり、具体的には、左側面板３ａ、右側面板３ｂ、前面板３ｃ、背面板３ｄ、及び天板３ｅを有する。
【００３３】
下部ケース２の上面開口と上部ケース３の下面開口とは同一形状とされ、それらのケース２及び３は、後部一側縁において、ヒンジ結合部１７を介して開閉自在に結合されている。なお、図示しないが、下部ケース２と上部ケース３とのヒンジ結合部においては、図示しないスプリング機構を組み込むことによって、開閉時のクリック作用が付与されている。
【００３４】
すなわち、下部ケース２の上に上部ケース３が重ねられた閉成状態においては、スプリングの作用によって、閉じる方向への弾発力が作用するのに対し、下部ケース２に対して上部ケース３をある程度開いた状態となると、スプリングの作用によって、開く方向への弾発力が作用し、独りでに、最大角度θに至るまで上部ケース３は開いて停止する。なお、このような機構は、通常の宝石箱などにおいて周知であるから、その詳細機構については省略する。
【００３５】
下部ケース２内には、図２及び図３に示されるように、時計バンド付きの腕時計を、文字盤が上向きとなるような展示姿勢で保持するための保持具１２が装着されている。この例では、保持具１２として、時計バンド付き腕時計の時計バンドの内側に装着される布団状乃至餡状のパッドが採用されている。従って、腕時計の時計バンドにこのパッドをはめ込むことによって、時計バンド付き腕時計は、腕時計本体４を文字盤を上向きにした状態で、下部ケース２内に位置決め固定されることとなる。
【００３６】
一方、上部ケース３の側にあって、前面板３ｃの裏側には、図２、図３、及び図６に示されるように、ランプホルダ８が装着されており、このランプホルダ８の開口側先端部には、本発明の要部であるところのＬＥＤランプ６が所定の方向へ指向された状態で保持されている。
【００３７】
この例にあっては、図２及び図５に示されるように、ＬＥＤランプ６の取付け姿勢は、上部ケース３が最大開き角度θだけ開いた状態において、ＬＥＤランプ６の発する光線７の光軸が、腕時計本体４の中心部をその真上から照射するように設定されている。このとき、図５に示されるように、ＬＥＤランプ６から発せられる光線７の開き角度は、比較的狭く指向性を有するため、ＬＥＤランプ６から発せされた光線７がケース外に漏れだしたりして、ケース外空間に影響を与えることはない。ＬＥＤランプ６から発せられる光の波長としては、紫外線、可視光線、赤外光線等々のように、種々なものを適宜に採用すれば良い。
【００３８】
先に説明したように、通常の文字盤を有する腕時計の場合であっても、照明光の色や強さによっては、顧客に与える印象は著しく相違する。例えば、青色の照明光を使用すれば、その時計に対してさわやかな印象を与えることができ、橙色の照明光を使用すれば、その時計に対して温かな印象を与えることができる。
【００３９】
また、蓄光塗料やトリチウム自発光素子が時刻目盛りや指針に組み込まれた夜光性文字盤を有する腕時計の場合には、照明光として紫外線を含んだ照明光を採用して発光強度を増すことにより、周囲が比較的に明るい展示環境下にあっても、夜間発光時と同様な外観を出現させることができる。
【００４０】
ＬＥＤランプ６に対する電源は、この例にあっては、後に詳細に説明するように、外部に置かれたＡＣ／ＤＣ変換回路からなるＤＣ電源から給電される。図２及び図３に示されるように、下部ケース２の背面板２ｄの下部には、図示しないＤＣ電源から延びる電源コード先端のプラグが装着されるＤＣ電源ソケット９が取り付けられている。
【００４１】
このＤＣ電源ソケット９が受け取ったＤＣ電源は、適宜な導通部材（リード線、フラットケーブルなど）１３を介して、ＬＥＤランプ６へと供給される。この導通部材１３は、図２及び図３に示されるように、背面板２ｄ，３ｄ、及び天板３ｃのそれぞれの内面に沿ってＬＥＤランプ６へと配線されている。また、これらの導通部材１３は、適宜な隠蔽部材１４及び内張り材１５を介して目隠しされ、外観体裁を損ねることはない。
【００４２】
以上の構成よりなる物品個別収容ケース１によれば、下部ケース２に対してヒンジ結合部１７を介して上部ケース３を所定角度θ開き、ＬＥＤランプ６を点灯させれば、ＬＥＤランプ６から発せられた光線７は、腕時計本体４を真上から所定の開き角度をもって集中的に照射することとなるから、別途大掛かりな照明器具を有する陳列棚を設けたり、あるいは別途スポット照明器具を設けずとも、ケース１に収容された腕時計本体４をＬＥＤランプ６からの光で効果的に照明することができる。
【００４３】
そのため、腕時計本体４が通常の文字盤を有する場合であっても、例えば、青色の照明光を発するＬＥＤランプ使用すれば、その時計に対して爽やかな印象を与えることができる一方、橙色の照明光を使用すれば、その時計に対して温かな印象を与えることができる。
【００４４】
さらに、蓄光塗料やトリチウム自発光素子が時刻目盛りや指針に組み込まれた夜光性文字盤を有する腕時計の場合には、照明光として紫外線を含んだ照明光を発するＬＥＤランプを採用して発光強度を増すことにより、周囲が比較的に明るい展示環境下にあっても、夜間発光時と同様な外観を出現させることができる。
【００４５】
さらに、腕時計本体４がソーラー電池駆動式の腕時計の場合であれば、その展示販売中の照明として使用すれば、年末年始の休暇などにより当該店舗の天井照明が長期にわたり消灯状態とされたとしても、ＬＥＤランプ６からの光線７によってソーラー電池に対する充電を継続的に行うことができるから、休み明け後にソーラー電池駆動式の腕時計が作動不能に陥るといった事態を回避することができる。一方、販売されて顧客の手に渡った後にあっても、各顧客の室内におけるソーラー電池の充電器としても活用できるため、ソーラー電池式腕時計の保守には好適なものとなる。
【００４６】
なお、この第１実施形態の物品個別収容ケース１にあっては、保持具２０を適宜取り替えることによって、腕時計以外にも、各種の宝石付装身具（例えば、指輪、ネックレス、イヤリング、ブレスレットなどなど）の展示販売にも適用することができる。
【００４７】
宝石付指輪に適用した例が図４に示されている。この例にあっては、保持具２０は、通常宝石付指輪の展示販売に使用される餡状乃至座布団状の保持具が採用されており、指輪１９は宝石１８を上向きにして保持具２０により保持される。
【００４８】
このとき、宝石部１８が、蛍光反応を示す一部のコランダム、スピネル、琥珀、閃亜鉛光、珪石などが使用されていた場合、ＬＥＤランプ６として紫外線を含む光を発するものを利用すれば、蛍光反応が惹起されて、宝石部１８に神秘的な外観を出現させることもできる。
【００４９】
次に、本発明に係る物品個別収容ケース（この例では、腕時計用ケースとして実現されている）の第２実施形態の構成が図７〜図１０に示されている。この第２実施形態の特徴は、下部ケースと上部ケースとの結合をはめ合い構造（嵌合構造）とした点、ＬＥＤランプを着脱自在（交換可能）に装着した点、及び保持具として腕時計展示用のＣリングを使用することにより、文字盤を前方へ向けた状態で保持させる一方、その左右斜め前方から複数のＬＥＤランプによってこれを照射するようにした点などにある。
【００５０】
それらの図から明らかなように、この物品個別収容ケース１０１は、下部ケース１０２と上部ケース１０３とを有している。下部ケース１０２は、左側面板１０２ａ、右側面板１０２ｂ、前面板１０２ｃ、背面板１０２ｄ、及び底板１０２ｅを有すると共に、中央部上面側には凹陥部１０２ｆを有している。なお、図において１０９はＤＣ電源ソケット、１１３は導通部材である。
【００５１】
上面中央部の凹陥部１０２ｆ内には、時計バンド付の腕時計をその文字盤を前方へ向けて保持するための保持具１１２が設けられている。この保持具１１２は、当業者にはよく知られているように、腕時計のディスプレイに通常用いられるＣ型リング状のディスプレイ器具が採用されている。なお、図において符号１０４は腕時計本体、１０５は時計バンドである。
【００５２】
一方、上部ケース１０３は、下面を開口した矩形形状を有するもので、具体的には、左側面板１０３ａ、右側面板１０３ｂ、前面板１０３ｃ、背面板１０３ｄ、及び天板１０３ｅを有している。そして、この上部ケース１０３は、下部ケース１０２の上面側にあって、展示姿勢にあるバンド付腕時計の全体を覆うようにして、下部ケース１０２の上面側に嵌合部１１７を介して嵌合固定される。
【００５３】
そして、図７及び図８に示されるように、下部ケース１０２に対して上部ケース１０３をすっぽりと上から被せてはめ合わせた状態が包装用ケースの状態となり、図９及び図１０に示されるように、下部ケース１０２から上部ケース１０３を取り外した状態が展示用ケースの状態となるのである。
【００５４】
下部ケースの側にあって、その前面側の左右それぞれには、図９及び図１０に示されるように、ソケット１２４ａ，１２４ｂが設けられている。そして、これらのソケット１２４ａ，１２４ｂには、左右のランプユニット１２５ａ，１２５ｂが着脱自在に装着される。この装着は、ランプユニット側のプラグ１２６ａ，１２６ｂと、ソケット１２４ａ，１２４ｂとの結合により行われる。
【００５５】
ランプユニット１２５ａ，１２５ｂのそれぞれには、ＬＥＤランプ１２７ａ，１２７ｂ、電流調整用の抵抗素子１２８ａ，１２８ｂが組み込まれている。そのため、この第２実施形態においては、同一のケース１０１のままで、ランプユニット１２５ａ，１２５ｂを種々の色及び強度の光を発するものと交換することによって、商品となる腕時計に応じて、様々な照明態様を選択的に採用することができる。
【００５６】
すなわち、通常の文字盤を有する腕時計であれば、ランプユニット１２５ａ，１２５ｂとして、青色発光ＬＥＤランプや、橙色発光ＬＥＤランプを採用することによって、さわやかな、あるいは温かみのある雰囲気を作り上げることができる。
【００５７】
また、蓄光塗料やトリチウム自発光素子が時刻目盛りや指針に組み込まれた夜光性文字盤を有する腕時計であれば、ランプユニット１２５ａ，１２５ｂとして、紫外線を発光するＬＥＤランプを有するものに交換することによって、それらの時刻目盛りや指針による発光強度を増すことにより、周囲が比較的に明るい展示環境下にあっても、夜間発光時と同様な外観を出現させることができる。
【００５８】
以上の構成よりなる物品個別収容ケース１０１によれば、図７及び図８に示される物品包装ケースとして持ち運びに供することができる一方、図９及び図１０に示される物品展示用ケースとして供することにより、図１０に示されるように、水平方向前方へと向けられた文字盤に対して、その左右斜め前方からＬＥＤランプ１２７ａ，１２７ｂにより照明することによって、腕時計本体部１０４を効果的にディスプレイすることが可能となる。
【００５９】
さらに、先に第１実施形態の場合で説明したように、ソーラー電池駆動式の腕時計に採用すれば、そのままソーラー電池の充電のためにも供することができ、ソーラー電池の各店舗における販売展示並びに顧客に販売された後にあって室内における夜間充電用にも供することができるなど様々な利用価値を有するものである。
【００６０】
なお、この第２実施形態における着脱自在なランプユニットの構成は、そのまま第１実施形態におけるＬＥＤランプ６の装着構造にも応用することができることは勿論である。
【００６１】
次に、ＬＥＤランプへの給電を外部ＤＣ電源から行なう場合の給電系統図（ＬＥＤランプ単一かつ交換不能）が図１１に示されている。同図の構成は、先に、図１〜図６を参照して説明した第１実施形態に採用されたものである。
【００６２】
図において符号９は、各ケース２の背面板２ｄに取り付けられたＤＣ電源ソケット９である。このソケット９のプラス側は、抵抗素子１０及び電源スイッチ１１を介してＬＥＤランプ６のアノード側に接続される。
【００６３】
一方、ＤＣ電源ソケット９のマイナス側はＬＥＤランプ６のカソード側へと接続される。ＤＣ電源プラグ２３は図示しない電気コードを介してＡＣ／ＤＣ変換回路２２に接続され、ここでＡＣ／ＤＣ変換されて得られたＤＣ電源は、図示しない電気コードを介してＤＣ電源プラグ２１へと接続される。ＤＣ電源プラグ２１とＤＣ電源ソケット９とは着脱自在に構成されている。そのため、ＡＣ電源プラグ２３を商用電源コンセントに差し込む一方、ＤＣ電源プラグ２１をＤＣ電源ソケット９に差し込むことによって、ＬＥＤランプ６に対する給電を為すことができる。
【００６４】
次に、ＬＥＤランプへの給電を外部電源から行なう場合の給電系統図（ＬＥＤランプ複数かつ交換可能）が図１２に示されている。同図の構成は、先に図７〜図１０を参照して説明した第２実施形態に採用されたものである。
【００６５】
図において、符号１０９は、下部ケース１０２の背面板１０２ｄに取り付けられたものである。このソケット１０９のプラス側は、左右のランプソケット１２４ａ，１２４ｂのプラス側に接続されると共に、ソケット１０９のマイナス側は電源スイッチ１１１を介して左右のランプソケット１２４ａ，１２４ｂのマイナス側へと接続されている。一方、左右のランプユニット１２５ａ，１２５ｂのプラグ１２６ａ，１２６ｂは、左右のランプソケット１２４ａ，１２４ｂに着脱自在に装着される。これらのプラグ１２６ａ，１２６ｂのプラス側は、それぞれ抵抗素子１２８ａ，１２８ｂを介して左右のＬＥＤランプ１２７ａ，１２７ｂのアノード側に接続される。また、左右のプラグ１２６ａ，１２６ｂのマイナス側は、左右のＬＥＤランプ１２７ａ，１２７ｂのカソード側へと接続される。
【００６６】
他方、ＡＣ電源プラグ１２３は図示しない電気コードを介してＡＣ／ＤＣ変換回路１２２へと接続されると共に、ＡＣ／ＤＣ変換回路１２２の出力側は図示しない電気コードを介してＤＣ電源プラグ１２１へと接続される。このＤＣ電源プラグ１２１とケース側のＤＣ電源ソケット１０９とは着脱自在に構成されている。
【００６７】
そのため、ＡＣ電源プラグ１２３を商用電源コンセントに接続すると共に、ＤＣ電源プラグ１２１をＤＣ電源ソケット１０９へと接続し、さらに左右のランプソケット１２４ａ，１２４ｂに対して、左右のランプユニット１２５ａ，１２５ｂを装着すれば、商用電源から左右のＬＥＤランプ１２７ａ，１２７ｂへと給電を為すことができる。
【００６８】
また、左右のランプユニット１２５ａ，１２５ｂは、左右のランプソケット１２４ａ，１２４ｂに対して着脱自在であるため、あらかじめ、ランプユニット１２５ａ，１２５ｂとして、光の色や光の強度の異なる様々なものを用意しておいて、これを適宜交換して左右のソケット１２４ａ，１２４ｂに対して装着すれば、同一の物品個別収容ケース１０１であっても、展示対象となるバンド付腕時計に応じて、様々な照明態様を採用し、顧客の購買意欲をかきたてることができる。このとき、ランプユニット１２５ａ，１２５ｂに組み込まれるＬＥＤランプ１２７ａ，１２７ｂとしては、可視光線、赤外光線、紫外光線を発光するものから適宜なものを採択することができる。
【００６９】
なお、この第２実施形態においても、展示対象となるものは、時計バンド付の腕時計に限らず、宝石付の各種装身具とすることもできる。
【００７０】
次に、ＬＥＤランプへの給電をバッテリから行う場合の給電系統図が図１３に示されている。先の例にあっては、商用電源からの給電を可能とするために、ＡＣ／ＤＣ変換回路やＤＣ電源ソケットを採用したが、この例にあっては、ケース側にバッテリ２０２を組み込むことによって、どこへでも持ち運び可能とすると共に、光電センサ（ＣｄＳなど）２０４を組み込むことによって、展示用ケースとして使用されている状態に限り、ＬＥＤランプ２０３からの発光を可能としている。
【００７１】
すなわち、この回路全体は、ＣＰＵ２０１を主体として構成されている。このＣＰＵ２０１には、３個の入力端子ＩＮ１，ＩＮ２，ＩＮ３と２個の出力端子ＯＵＴ１，ＯＵＴ２とが設けられている。
【００７２】
バッテリ２０２から得られる直流電源は、電源スイッチＳＷ１を介して、ＣＰＵ２０１及びランプ駆動系へと給電される。ランプ駆動系は、抵抗２０７とＬＥＤランプ２０３と出力トランジスタ２０６とを直列接続して構成される。
【００７３】
ＣＰＵ２０１の出力端子ＯＵＴ２とバッテリ２０２のマイナス側との間には、センサ２０４として機能するＣｄＳと抵抗素子２０５とが直列に接続され、それらの接続点の電位は入力端子ＩＮ１へと導入される。一方、入力端子ＩＮ２には、切替スイッチＳＷ２の切り替え状態に応じて、バッテリ２０２のプラス側とマイナス側とが択一的に接続され、同様にして入力端子ＩＮ３にも、切替スイッチＳＷ３の切り替え状態に応じて、バッテリ２０２のプラス側とマイナス側とが択一的に接続される。
【００７４】
さらに、出力端子ＯＵＴ１は出力トランジスタ２０６のベースへと接続され、この出力トランジスタ２０６がオンオフすることによって、ＬＥＤランプ２０３が断続的に発光するように構成されている。
【００７５】
以上の回路図におけるＣＰＵの各部の信号状態を示す波形図が図１４に、またＣＰＵの各入力ＩＮ２，ＩＮ３と動作モードとの関係を表にして示す図が図１５にそれぞれ示されている。
【００７６】
図１４（ａ）に示されるように、ＣＰＵ２０１の出力端子ＯＵＴ２からは、一定周期Ｔ１をもって所定のモニタリングパルスが繰り返し出力される。一方、光電センサ２０４として機能するＣｄＳは、ケース内に組み込まれているため、上部ケースが下部ケースに対して開かれた、あるいは上部ケースが下部ケースから取り外された展示用ケースとして機能する場合、ＣｄＳは光を受けて抵抗値が減少する。そのため、ＣＰＵ２０１の入力端子ＩＮ１には、図１４（ａ）に示されるモニタリングパルスと同期して、同図（ｂ）に示される明暗検出パルスが出現する。この明暗検出パルスは、図１４（ｂ）に示されるように、光電センサ２０４が明るさを感じているとき"Ｈ"となり、暗さを感じているとき"Ｌ"となる。
【００７７】
後述するＣｄＳ機能においては、センサ２０４を構成するＣｄＳが明るさを感じているとき、ＬＥＤランプ２０３は点灯可能な状態となり、暗さを感じているときには、点灯不能な状態となる。
【００７８】
切替スイッチＳＷ２は、このＣｄＳ機能を能動化（ＯＮ）、または不能化（ＯＦＦ）するかの切替えに使用される。すなわち、切替スイッチＳＷ２が電源のプラス側へ接続されて、入力端子ＩＮ２に"Ｈ"が入力されると、ＣｄＳ機能は能動化（ＯＮ）されるのに対し、切替スイッチＳＷ２が電源のマイナス側へと接続されて、入力端子ＩＮ２に"Ｌ"が入力されると、ＣｄＳ機能は不能化（ＯＦＦ）される。
【００７９】
また、切替スイッチＳＷ３は、ＬＥＤランプ２０３を人の目には連続状態に見えるような高い周波数で断続的に点灯する「疑似連続点灯」状態（図１４（ｃ）参照）と、ＬＥＤランプ２０３を人の目には明確な間欠点灯状態と見えるように低速で断続する「間欠点灯」状態（図１４（ｄ）参照）とに選択するために使用される。
【００８０】
すなわち、切替スイッチＳＷ３がバッテリのプラス側に接続されて、入力端子ＩＮ３に"Ｈ"が供給されると、「疑似連続点灯」状態への設定が行われるのに対し、切替スイッチＳＷ３がバッテリのマイナス側へ接続されて、入力端子ＩＮ３に"Ｌ"が供給されると、「間欠点灯」状態への設定が行われる。
【００８１】
以上説明した４つの点灯状態（「ＣｄＳ機能ＯＮかつ疑似連続点灯」、「ＣｄＳ機能ＯＮかつ間欠点灯」、「ＣｄＳ機能ＯＦＦかつ疑似連続点灯」、及び「ＣｄＳ機能ＯＦＦかつ間欠点灯」）と、入力端子ＩＮ２，ＩＮ３の入力論理との関係が図１５に表にして示されている。
【００８２】
以上の構成において、例えば、スイッチＳＷ２及びＳＷ３をいずれも電源のプラス側に接続して、「ＣｄＳ機能ＯＮかつ疑似連続点灯」モード（以下、「第１の動作モード」と言う）への設定を行うと、ＣｄＳ機能がＯＮされることによって、ＬＥＤランプは展示用ケースの状態に限り点灯状態となる一方、その点灯状態は、図１４（ｃ）に示されるように、疑似連続点灯状態となる。そのため、この第１の動作モードを採用すれば、展示対象となる時計や宝石付装身具をバッテリの消耗を極力抑制しつつ連続的に照明することができる。
【００８３】
上記の状態から、スイッチＳＷ２をバッテリのマイナス側へ接続すれば、「ＣｄＳ機能ＯＦＦかつ疑似連続点灯」モード（以下、「第３の動作モード」と言う）への設定が行われる。すると、ＣｄＳが明暗を検出するか否かに拘わらず、ＬＥＤランプ２０３の状態は疑似連続点灯状態とされる。このような第２の動作モードによれば、例えば各家庭で、ソーラー電池駆動式の腕時計を夜間充電する場合などに好適なものとなる。
【００８４】
また、最初の状態（第１の動作モード）から、スイッチＳＷ３をバッテリのプラス側からマイナス側へと切り替えれば、「ＣｄＳ機能ＯＮかつ間欠点灯」モード（以下、「第２の動作モード」と言う）が選択される。すると、ＬＥＤランプ２０３は展示用ケースとして使用されているときに限り点灯可能とされると共に、その点灯状態は図１４（ｂ）に示されるように、間欠点灯状態とされる。そのため、この第２の動作モードを採用すれば、特に、腕時計として、蓄光塗料やトリチウム自発光素子が時刻目盛りや指針に組み込まれた夜光性文字盤を有するものを採用する場合、照明光として紫外線を含んだ照明光を採用して発光強度を増すと共に、その点滅周期を明瞭とすることによって、キラキラとしたディスプレイ効果を高めることができる。
【００８５】
さらに、この状態（第２の動作モード）から、スイッチＳＷ２をバッテリのプラス側からマイナス側へと切り替えれば、「ＣｄＳ機能ＯＦＦかつ間欠点灯」モード（以下、「第４の動作モード」と言う）への設定が行われる。すると、ＬＥＤランプ２０３は、ＣｄＳが明暗を検出するか否かに拘わらず、点灯可能な状態となると共に、その点灯状態は図１４（ｄ）に示される間欠点灯状態とされる。
【００８６】
そのため、この第４の動作モードによれば、周囲の明暗に拘わらず、展示対象となる腕時計や宝石付装身具などをキラキラと輝かせ、ディスプレイ効果を上げることができる。
【００８７】
なお、図１３〜図１５に示されて給電系統図は、先に図１〜図６を参照して説明した第１実施形態、図７〜図１０を参照して説明した第２実施形態のいずれにも採用可能であることは言うまでもない。
【００８８】
また、以上の第１または第２実施形態においては、上部ケースの側又は下部ケースの側のいずれかにＬＥＤランプを設けたが、双方のケースに分散してＬＥＤランプを装着しても良いことは勿論である。
【００８９】
また、以上の実施形態においては、全体として矩形状乃至直方体状のケースとして外観構成したが、図示の実施形態はケースの外観形状に配慮したものではないから、その他円筒状、六角形状、半球状などなど様々な外観形状を採用し得ることは勿論である。
【００９０】
さらに、以上の実施形態において、ケースの材質等については、ヒンジ方式のケースでは、プラスチック、金属等からなる芯材の表面に紙、布、革などを貼って装飾する方法が一般的だが、蓋がケースから取り外せるタイプのケースでは、前記のヒンジ方式と同じように作られている物の他、木製やガラス製のものでも良いであろう。高額な商品を納めるケースでは、前記の方法を組み合わせてより豪華に製作することも考えられる。
【産業上の利用可能性】
【００９１】
この発明によれば、大掛かりな照明器を備えた陳列棚が不要であると共に、照明対象となる物品毎に異なる照明方法をスポット照明器等に頼ることなく容易に採用することができ、しかも照明対象となる物品同士が近接配置されていても照明光の混合が生ずることがないようにした物品個別収容ケースを提供することができる。
【００９２】
また、この発明によれば、ソーラー電池駆動式腕時計の展示販売においては、年末年始の休暇等により当該店舗の天井照明が長期に亘り消灯状態とされたとしても、その間にソーラー電池の放電が進み、休み明け後にソーラー電池駆動式腕時計が作動不能に陥ることがないようにした物品個別収容ケースを提供することができる。
【図面の簡単な説明】
【００９３】
【図１】本発明に係る腕時計用ケースの上部ケースを開いた状態の正面図（第１実施形態）である。
【図２】本発明に係る腕時計用ケースの上部ケースを開いた状態の側断面図（第１実施形態）である。
【図３】本発明に係る腕時計用ケースの上部ケースを閉じた状態の側断面図（第１実施形態）である。
【図４】本発明に係る宝石付指輪用ケースの上部ケースを開いた状態の側断面図（第１実施形態）である。
【図５】本発明に係る腕時計用ケースの上部ケースを開いた状態の斜視図（第１実施形態）である。
【図６】本発明に係る腕時計用ケースの上部ケースを開いた状態の下から見た斜視図（第１実施形態）である。
【図７】本発明に係る腕時計用ケースの上部ケースを取り付けた状態の正断面図（第２実施形態）である。
【図８】本発明に係る腕時計用ケースの上部ケースを取り付けた状態の側断面図（第２実施形態）である。
【図９】本発明に係る腕時計用ケースの上部ケースを除去した状態の正断面図（第２実施形態）である。
【図１０】本発明に係る腕時計用ケースの上部ケースを除去した状態の上面図（第２実施形態）である。
【図１１】ＬＥＤランプへの給電を外部ＤＣ電源から行なう場合の給電系統図（ＬＥＤランプ単一かつ交換不能）である。
【図１２】ＬＥＤランプへの給電を外部電源から行なう場合の給電系統図（ＬＥＤランプ複数かつ交換可能）である。
【図１３】ＬＥＤランプへの給電をバッテリから行なう場合の給電系統図である。
【図１４】ＣＰＵの各部の信号状態を示す波形図である。
【図１５】ＣＰＵの各入力ＩＮ２，ＩＮ３と動作モードとの関係を表にして示す図である。
【符号の説明】
【００９４】
１      物品個別収容ケース
２      下部ケース
３      上部ケース
２ａ    左側面板
２ｂ    右側面板
２ｃ    前面板
２ｄ    背面板
２ｅ    底板
３ａ    左側面板
３ｂ    右側面板
３ｃ    前面板
３ｄ    背面板
３ｅ    天板
４      腕時計本体
５      時計バンド
６      ＬＥＤランプ
７      光線
８      ランプホルダ
９      ＤＣ電源ソケット
１０    抵抗素子
１１    電源スイッチ
１２    保持具
１３    導通部材
１４    隠蔽部材
１５    内張り材
１６    内張り材
１７    ヒンジ結合部
１８    宝石部
１９    指輪
２０    保持具
２１    ＤＣ電源プラグ
２２    ＡＣ／ＤＣ変換回路
２３    ＡＣ電源プラグ
１０１  物品個別収容ケース
１０２  下部ケース
１０２ａ  左側面板
１０２ｂ  右側面板
１０２ｃ  前面板
１０２ｄ  背面板
１０３    上部ケース
１０３ａ  左側面板
１０３ｂ  右側面板
１０３ｃ  前面板
１０３ｄ  背面板
１０３ｅ  天板
１０４    腕時計本体
１０５    時計バンド
１０９    電源ソケット
１１１    電源スイッチ
１１２    保持具
１１３    導通部材
１１７    嵌合部
１２１    ＤＣ電源プラグ
１２２    ＡＣ／ＤＣ変換回路
１２３    ＡＣ電源プラグ
１２４ａ，１２４ｂ  ランプソケット
１２５ａ，１２５ｂ  ランプユニット
１２６ａ，１２６ｂ  プラグ
１２７ａ，１２７ｂ  ＬＥＤランプ
１２８ａ，１２８ｂ  抵抗素子
１２９ａ，１２９ｂ  光線
２０１    ＣＰＵ
２０２    バッテリ
２０３    ＬＥＤランプ
２０４    センサ（ＣｄＳ）
２０５    抵抗素子
２０６    出力トランジスタ
２０７    抵抗素子
ＳＷ１    電源スイッチ
ＳＷ２    切替スイッチ
ＳＷ３    切替スイッチ
【図１】
2009022655.tif 000003
【図２】
2009022655.tif 000004
【図３】
2009022655.tif 000005
【図４】
2009022655.tif 000006
【図５】
2009022655.tif 000007
【図６】
2009022655.tif 000008
【図７】
2009022655.tif 000009
【図８】
2009022655.tif 000010
【図９】
2009022655.tif 000011
【図１０】
2009022655.tif 000012
【図１１】
2009022655.tif 000013
【図１２】
2009022655.tif 000014
【図１３】
2009022655.tif 000015
【図１４】
2009022655.tif 000016
【図１５】
2009022655.tif 000017